(57)【要約】【課題】この発明は、読取領域からの原稿のはみ出しを速やかに操作者に報知することができて、高い作業性を有する画像入力装置及び画像入力方法を提供する。【解決手段】視野領域Ｒ内の画像を撮影する画像撮影部１と、視野領域Ｒの近傍に位置する表示部２と、画像撮影部１で撮影した画像を解析して、視野領域Ｒから原稿Ｐがはみ出ているか否かを判定し、該視野領域Ｒから原稿Ｐがはみ出ていると判定した場合に表示部２にて警告表示を行なわせる警告表示制御部３と、を具備する。【選択図】図１
2018174386.tif 000002
【特許請求の範囲】
【請求項１】
読取領域内の画像を撮影する画像撮影部と、
前記読取領域の近傍に位置する表示部と、
該画像撮影部で撮影した画像を解析して、前記読取領域から原稿がはみ出ているか否かを判定し、該読取領域から原稿がはみ出ていると判定した場合に、前記表示部にて警告表示を行なわせる警告表示制御部と、を具備することを特徴とする画像入力装置。
【請求項２】
前記画像撮影部は、テーブルの作業面に対して画像撮影するための読取領域を形成することを特徴とする請求項１に記載の画像入力装置。
【請求項３】
前記画像撮影部は、読取領域内の画像を一定時間毎に繰り返し撮影し、その撮影データを前記警告表示制御部に順次供給することを特徴とする請求項1又は２のいずれか1項に記載の画像入力装置。
【請求項４】
前記表示部は、前記読取領域内に原稿が配置されていると判定した場合に正常表示を行わせるとともに、この正常表示を、前記読取領域から原稿がはみ出していると判定した場合の異常表示と異ならせることを特徴とする請求項１〜３のいずれか1項に記載の画像入力装置。
【請求項５】
前記表示部には光により正常／異常表示を行うための発光ランプが設けられていることを特徴とする請求項１〜４のいずれか1項に記載の画像入力装置。
【請求項６】
前記発光ランプは複数設けられ、
前記警告表示制御部は、前記画像撮影部で撮影した画像の解析結果に基づき、４辺からなる四角形状に形成された前記読取領域からの原稿はみ出し辺に対応して、前記発光ランプを選択的に点灯させることを特徴とする請求項５に記載の画像入力装置。
【請求項７】
前記表示部には音により正常／異常表示を行うためのスピーカーが設けられていることを特徴とする請求項１〜６のいずれか1項に記載の画像入力装置。
【請求項８】
前記表示部には振動により正常／異常表示を行うための振動モータが設けられていることを特徴とする請求項１〜７のいずれか1項に記載の画像入力装置。
【請求項９】
前記表示部は、前記画像撮影部の撮影可能領域の近傍に設けられたことを特徴とする請求項１〜８のいずれか１項に記載の画像入力装置。
【請求項１０】
読取領域内の画像を撮影する画像撮影工程と、
該画像撮影工程で撮影した画像を解析して、前記読取領域から原稿がはみ出ているか否かを判定する位置判定工程と、
前記位置判定工程にて読取領域から原稿がはみ出ていると判定された場合に、前記読取領域の近傍に位置する表示部にて警告表示を行う警告表示制御工程と、を具備することを特徴とする画像入力方法。
【発明の詳細な説明】
【技術分野】
【０００１】
本発明は、銀行等の金融機関で使用可能な画像入力装置及び画像入力方法に関する。
【背景技術】
【０００２】
テーブル上の原稿を間接的に読み取る装置として、特許文献１に示される画像読取り装置が知られている。
この特許文献１には、原稿が載置されるテーブル作業面の上方に位置するヘッド部と、該ヘッド部に設けられてテーブル作業面上の原稿を上方から撮影により読み取るエリアイメージセンサと、を具備した構成が示されている。
【先行技術文献】
【特許文献】
【０００３】
【特許文献１】特開２００４−３３６１１５号公報
【特許文献２】特開２００２−１９７４４９号公報
【発明の概要】
【発明が解決しようとする課題】
【０００４】
ところで、間接型の画像入力装置に関しては、原稿を置くだけで画像の入力が可能であるが、どの部分を画像として取り込むかについては、原稿を置く場所の明示的な指標が必要である。ここで画像入力装置に原稿載置台が備わっていない場合には、画像を取り込む範囲が不明となり、画像読取領域からの原稿はみ出しが生じる。
そして、このような原稿はみ出しを検出する技術として、例えば特許文献２に示される帳票はみ出し検出装置が知られている。
この特許文献２には、取得画像に含まれる帳票が欠けているか否かを判定するための構成が示されるものの、この判定結果をどのように操作者に報知するかについての具体的構成については示されず、この点において改良が期待されていた。
【０００５】
この発明は、上述した事情に鑑みてなされたものであって、読取領域からの原稿のはみ出しを速やかに操作者に報知することができ、高い作業性を有することができる画像入力装置及び画像入力方法を提供する。
【課題を解決するための手段】
【０００６】
上記課題を解決するために、この発明は以下の手段を提案している。
本発明の第１形態に示される画像入力装置では、読取領域内の画像を撮影する画像撮影部と、前記読取領域の近傍に位置する表示部と、該画像撮影部で撮影した画像を解析して、前記読取領域から原稿がはみ出ているか否かを判定し、該読取領域から原稿がはみ出ていると判定した場合に、前記表示部にて警告表示を行なわせる警告表示制御部と、を具備することを特徴とする。
【０００７】
本発明の第２形態に示される画像入力方法では、読取領域内の画像を撮影する画像撮影工程と、該画像撮影工程で撮影した画像を解析して、前記読取領域から原稿がはみ出ているか否かを判定する位置判定工程と、前記位置判定工程にて読取領域から原稿がはみ出ていると判定された場合に、前記読取領域の近傍に位置する表示部にて警告表示を行う警告表示制御工程と、を具備することを特徴とする。
【発明の効果】
【０００８】
本発明では、読取領域から原稿がはみ出て載置された場合の異常状況を、操作者に速やかに認識させることができ、原稿の撮影作業を効率的に図ることが可能となる。
【図面の簡単な説明】
【０００９】
【図１】本発明に係る画像入力装置を示す図である。
【図２】本発明の第１実施形態に係る画像入力装置を示す図である。
【図３】本発明の第２実施形態に係る画像入力装置を示す図である。
【図４】図３の画像入力装置を作動させた場合の図である。
【発明を実施するための形態】
【００１０】
本発明の最小構成について図１を参照して説明する。
図１は本発明に係る画像入力装置１００を示す図であって、原稿画像を撮影する画像撮影部１と、各種情報を表示する表示部２と、該表示部２で表示内容を制御する警告表示制御部３とを主な構成要素とする。
【００１１】
画像撮影部１は、テーブルＴ上に読取領域となる視野領域Ｒを形成して、該視野領域Ｒ内の画像を撮影するためのものである。
表示部２は視野領域Ｒの近傍に位置するものであって、原稿Ｐのはみ出しを操作者に報知するために使用される。
警告表示制御部３は、画像撮影部１で撮影した画像を解析して、視野領域Ｒから原稿Ｐがはみ出ているか否かを判定し、該視野領域Ｒから原稿Ｐがはみ出ていると判定した場合に、表示部２にて警告表示を行なわせる。
【００１２】
そして、以上のように構成された画像入力装置１００では、画像撮影部１の視野領域Ｒ内に位置する原稿Ｐの画像が撮影される。
さらに、警告表示制御部３にて、画像撮影部１で撮影した画像を解析して、原稿Ｐが該視野領域Ｒからはみ出ているか否かを判定し、原稿Ｐがはみ出ていると判定した場合には、表示部２に対して警告表示を行わせる。
このとき、表示部２は、画像撮影部１による視野領域Ｒの近傍に配置されているので、操作者がこの表示部２の表示内容を速やかに確認することができる。
すなわち、視野領域Ｒから原稿Ｐがはみ出ているとの警告表示が表示部２になされた場合に、操作者が表示部２の表示内容を速やかに確認することで、視野領域Ｒに対する原稿Ｐの位置修正を速やかに行うことができ、画像撮影部１による原稿Ｐの撮影作業を効率的に行うことができる。
【００１３】
（第１実施形態）
本発明の第１実施形態について図２を参照して説明する。
図２は本発明の第１実施形態に係る画像入力装置１０１を示す図であって、原稿画像を撮影する画像撮影部１１と、各種情報を表示する表示部１２と、該表示部１２で表示内容を制御する警告表示制御部１３とを主な構成要素とする。
【００１４】
画像撮影部１１は、ケーシングとなる装置本体部１４の上部に位置する取付アーム１５内に設置されたものであって、テーブルＴ上に読取領域となる視野領域Ｒを形成して、該視野領域Ｒ内の画像を撮影するイメージセンサ（図示略）を有している。
また、イメージセンサによる視野領域Ｒは、特別な原稿載置台ではなく、操作者が通常使用するテーブルＴの上面に形成されるものである。このため、テーブルＴの上面の色は、載置される原稿Ｐとのコントラストを出すために黒／グレー系にすることが好ましい。
【００１５】
表示部１２は、視野領域Ｒの後方側かつ近傍に位置する装置本体部１４の表面に設けられたものであって、原稿Ｐのはみ出しを操作者に報知するために使用される。
なお、本例では表示部１２として、２種類の表示部１２Ａ，１２Ｂが設置されており、例えば、表示部１２Ａとして視野領域Ｒ内に原稿Ｐが正常に配置された場合に「緑色」に発色するランプが使用され、また、表示部１２Ｂとして視野領域Ｒから原稿Ｐがはみ出た場合に「赤色」に発色するランプが使用される。
【００１６】
警告表示制御部１３は、画像撮影部１１で撮影した画像を解析して、視野領域Ｒから原稿Ｐがはみ出ているか否かを判定し、該視野領域Ｒから原稿Ｐがはみ出ていると判定した場合に、表示部１２にて警告表示を行なわせるものである。
具体的には、警告表示制御部１３にて、画像撮影部１１で撮影した画像を解析して、図２に実線で示されるように、視野領域Ｒ内に原稿Ｐが正常に配置されていると判定した場合に、表示部１２Ａに対して視野領域Ｒへの原稿載置が正常であることを示す「緑色」の発光を行わせる。これと同時に、画像撮影部１１による原稿Ｐの画像撮影を行い、その画像データを図示しない記憶装置内に取り込むようにする。
一方、警告表示制御部１３にて、画像撮影部１１で撮影した画像を解析して、図２に一点鎖線で示されるように、視野領域Ｒから原稿Ｐがはみ出ていると判定した場合に、表示部１２Ｂに対して視野領域Ｒへの原稿載置が異常であることを示す「赤色」の発光を行わせる。
なお、表示部１２Ａ，１２Ｂとしては例えば発光ダイオードが使用される。
【００１７】
そして、以上のように構成された第１実施形態の画像入力装置１０１では、画像撮影部１１の視野領域Ｒ内に位置する原稿Ｐの画像が撮影される。
さらに、警告表示制御部１３にて、画像撮影部１１で撮影した画像を解析して、原稿Ｐが該視野領域Ｒからはみ出ているか否かを判定し、原稿Ｐがはみ出ていると判定した場合には、表示部１２（１２Ｂ）に対して警告表示を行わせる。
このとき、表示部１２は、画像撮影部１１による視野領域Ｒの近傍に配置されているので、操作者がこの表示部１２の表示内容を速やかに確認することができる。
すなわち、視野領域Ｒから原稿Ｐがはみ出ているとの警告表示が表示部１２（１２Ｂ）になされた場合に、操作者が表示部１２の表示内容を速やかに確認することで、視野領域Ｒに対する原稿Ｐの位置修正を速やかに行うことができ、画像撮影部１１による原稿Ｐの撮影作業を効率的に行うことができる。
【００１８】
また、本実施形態の画像入力装置１０１では、視野領域Ｒ内に原稿Ｐが配置されていると判定した場合に「緑色」に発光する表示部１２Ａにて正常表示を行わせるとともに、この正常表示を、視野領域Ｒから原稿Ｐがはみ出していると判定した場合に「赤色」に発光する表示部１２Ｂの異常表示と異ならせるようにした。
これにより、視野領域Ｒ内に原稿Ｐが正常配置され、かつ該原稿Ｐの正常な画像撮影が行われたことを操作者に速やかに認識させることができる。
【００１９】
また、本実施形態の画像入力装置１０１では、画像撮影部１１のイメージセンサによる視野領域Ｒを、操作者が通常使用するテーブルＴの上面に形成することができるので、装置に附帯した特別な原稿載置台が不要となって、全体構成を簡素化することができる。
【００２０】
なお、画像撮影部１１では、視野領域Ｒ内の画像を一定時間毎に繰り返し撮影し、順次その撮影データを警告表示制御部１３に供給することが好ましい。これにより視野領域Ｒ内の原稿Ｐの動きをリアルタイムで観察して、視野領域Ｒから原稿Ｐがずれた場合の異常を速やかに操作者に報知することができる。
【００２１】
（第２実施形態）
本発明の第２実施形態について図３及び図４を参照して説明する。
第２実施形態に係る画像入力装置１０２が、第１実施形態に係る画像入力装置１０１と構成を異にするのは、表示部２０に関する構成である。
この表示部２０として、４つの発光ランプ２０Ａ〜２０Ｄが設けられており、これら発光ランプ２０Ａ〜２０Ｄは、四角形状に形成された視野領域Ｒの４辺（符号Ａ〜Ｄ）に対応している。
【００２２】
そして、上記表示部２０に対応した警告表示制御部３０では、第1実施形態と同様、画像撮影部１１で撮影した画像を解析して、視野領域Ｒから原稿Ｐがはみ出ているか否かを判定し、該視野領域Ｒから原稿Ｐがはみ出ていると判定した場合に、表示部２０にて警告表示を行なわせるものである。
例えば、警告表示制御部３０にて、画像撮影部１１で撮影した画像を解析して、図３に示されるように、視野領域Ｒ内に原稿Ｐが正常に配置されていると判定した場合に、表示部２０の全て発光ランプ２０Ａ〜２０Ｄに対して視野領域Ｒへの原稿載置が正常であることを示す「緑色」の発光を行わせる。これと同時に、画像撮影部１１による原稿Ｐの画像撮影を行い、その画像データを図示しない記憶装置内に取り込むようにする。
【００２３】
一方、警告表示制御部３０にて、画像撮影部１１で撮影した画像を解析して、図４に示されるように、視野領域Ｒから原稿Ｐがはみ出ていると判定した場合に、表示部２０の発光ランプ２０Ａ〜２０Ｄに対して視野領域Ｒへの原稿載置が異常であることを示す「赤色」の発光を選択的に行わせる。
【００２４】
例えば、図４に示されるように、警告表示制御部３０にて、視野領域Ｒの辺Ａ及び辺Ｂから原稿Ｐがはみ出ていると判定した場合に、対応した表示部２０の発光ランプ２０Ａ及び２０Ｂに対して、視野領域Ｒへの原稿載置が異常であることを示す「赤色」の発光を行わせる。
これにより操作者は、点燈した発光ランプ２０Ａ及び２０Ｂを参照することで、視野領域Ｒの辺Ａ及び辺Ｂから、原稿Ｐがはみ出ていることを即座に認識することができる。
同様に、警告表示制御部３０にて、視野領域Ｒの辺Ｄから原稿Ｐがはみ出ていると判定した場合に、対応した表示部２０の発光ランプ２０Ｄに対して、視野領域Ｒへの原稿載置が異常であることを示す「赤色」の発光を行わせる。
これにより操作者は、点燈した発光ランプ２０Ｄを参照することで、視野領域Ｒの辺Ｄから、原稿Ｐがはみ出ていることを即座に認識することができる。
【００２５】
以上詳細に説明したように第２実施形態の画像入力装置１０２では、警告表示制御部３０にて、画像撮影部１１で撮影した画像を解析して、原稿Ｐが該視野領域Ｒからはみ出ているか否かを判定し、原稿Ｐがはみ出ていると判定した場合には、表示部２０の発光ランプ２０Ａ〜２０Ｄに対して視野領域Ｒへの原稿載置が異常であることを示す「赤色」の発光を選択的に行わせることができる。
このとき、警告表示制御部３０にて、原稿Ｐがはみ出した視野領域Ｒの辺Ａ〜Ｄに対応した表示部２０の発光ランプ２０Ａ〜２０Ｄを選択的に点燈させることができるので、操作者は、点燈した発光ランプ２０Ａ〜２０Ｄを参照することで、視野領域Ｒのいずれの辺Ａ〜Ｄから、原稿Ｐがはみ出ていることを即座に認識することができる。これにより、視野領域Ｒに対する原稿Ｐの載置位置の修正を速やかに行うことができ、原稿Ｐの読取作業を効率的に行うことができる。
【００２６】
（変形実施例）
なお、上記実施形態では、表示部１２，２０にて、視野領域Ｒからの原稿Ｐのはみ出しを視覚的に認識させるようにしたが、これに限定されずに、視野領域Ｒから原稿Ｐのはみ出しが生じた場合に、装置本体部１４の上部に音声表示部として設置したスピーカー３０から、音声で異常を報知しても良い。
これとともに、視野領域Ｒへ原稿Ｐが正常に載置された場合には、正常載置されたことを示す音声を、異常の場合とは異なる音声でスピーカー３０（図３，図４参照）から出力させるようにしても良い。また音声によって原稿の移動方向を表示する場合は、操作者が目を離すことなく、原稿を迅速に適切な位置へ移動させることができる。なお表示に矢印を点灯させる方式の場合であっても、原稿を移動させようとする操作者の視野の範囲、すなわち移動させようとする原稿のできるだけ近くに表示部を配置することによって、原稿から目を離すことなく迅速に適切な位置へ移動させることができる。
【００２７】
さらに、上記実施形態では、視野領域Ｒからの原稿Ｐのはみ出しを視覚的／音声にて認識させることに限定されずに、視野領域Ｒから原稿Ｐのはみ出しが生じた場合に、装置本体部１４の内部に設けた振動モータにより該装置本体１４を振動させることで異常を報知しても良い。
すなわち、視野領域Ｒからの原稿Ｐがはみ出た場合の異常表示は、視覚、音声、振動等の様々な表示手段が使用される。
【００２８】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００２９】
本発明は、銀行等の金融機関で使用可能な画像入力装置及び画像入力方法に関する。
【符号の説明】
【００３０】
１  画像撮影部
２  表示部
３  警告表示制御部
１１  画像撮影部
１２  表示部
１２Ａ  表示部
１２Ｂ  表示部
１３  警告表示制御部
１４  装置本体部
２０  表示部
２０Ａ  発光ランプ
２０Ｂ  発光ランプ
２０Ｃ  発光ランプ
２０Ｄ  発光ランプ
３０  警告表示制御部
４０  スピーカー
【図１】
2018174386.tif 000003
【図２】
2018174386.tif 000004
【図３】
2018174386.tif 000005
【図４】
2018174386.tif 000006
【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
装置本体部と、
この装置本体部に設けられ、前記装置本体部の側部に読取領域を形成して該読取領域内の画像を撮影する画像撮影部と、
前記装置本体部における前記読取領域側の側面に設けられた表示部と、
該画像撮影部で撮影した画像を解析して、前記読取領域から原稿がはみ出ているか否かを判定し、該読取領域から原稿がはみ出ていると判定した場合に、前記表示部にて警告表示を行なわせる警告表示制御部と、を具備することを特徴とする画像入力装置。
【請求項２】
前記画像撮影部は、テーブルの作業面に対して画像撮影するための読取領域を形成することを特徴とする請求項１に記載の画像入力装置。
【請求項３】
前記画像撮影部は、読取領域内の画像を一定時間毎に繰り返し撮影し、その撮影データを前記警告表示制御部に順次供給することを特徴とする請求項1又は２のいずれか1項に記載の画像入力装置。
【請求項４】
前記表示部は、前記読取領域内に原稿が配置されていると判定した場合に正常表示を行わせるとともに、この正常表示を、前記読取領域から原稿がはみ出していると判定した場合の異常表示と異ならせることを特徴とする請求項１〜３のいずれか1項に記載の画像入力装置。
【請求項５】
前記表示部には光により正常／異常表示を行うための発光ランプが設けられていることを特徴とする請求項１〜４のいずれか1項に記載の画像入力装置。
【請求項６】
前記発光ランプは複数設けられ、
前記警告表示制御部は、前記画像撮影部で撮影した画像の解析結果に基づき、４辺からなる四角形状に形成された前記読取領域からの原稿はみ出し辺に対応して、前記発光ランプを選択的に点灯させることを特徴とする請求項５に記載の画像入力装置。
【請求項７】
前記装置本体部には音により正常／異常表示を行うためのスピーカーが設けられていることを特徴とする請求項１〜６のいずれか1項に記載の画像入力装置。
【請求項８】
前記装置本体部には振動により正常／異常表示を行うための振動モータが設けられていることを特徴とする請求項１〜７のいずれか1項に記載の画像入力装置。
【請求項９】
装置本体部の側部の読取領域内の画像を撮影する画像撮影工程と、
該画像撮影工程で撮影した画像を解析して、前記読取領域から原稿がはみ出ているか否かを判定する位置判定工程と、
前記位置判定工程にて読取領域から原稿がはみ出ていると判定された場合に、前記装置本体部における前記読取領域側の側面の表示部にて警告表示を行う警告表示制御工程と、を具備することを特徴とする画像入力方法。